(57)【特許請求の範囲】
【請求項１】
販売商品に対して設定した賞味期限の管理を行える自動販売機であって、商品を収納するコラムと、前記コラムに収納の商品を販売する販売制御手段５１と、前記販売制御手段５１で商品が販売される毎にその商品の販売数をカウントする販売数カウント手段５２と、時刻を計時する時計５３と、所定日数における販売数から１日当たりの平均販売数を算出する平均販売数算出手段５４と、前記賞味期限日数を入力するための賞味期限入力手段５５と、前記平均販売数と賞味期限日数の積から賞味期限内で販売できる見込み数を算出する見込み販売数算出手段５６と、前記コラムに収容できる規定満杯数を入力するための規定満杯数入力手段５７と、見込み販売数が規定満杯数を下回る時は、上記コラムへの収納数として見込み販売数を設定し、それ以外では収納数として規定満杯数を設定する収納数決定手段５８と、上記収納数決定手段５８により、見込み販売数が規定満杯数を下回ると判定された時、規定満杯数に従って商品補充を行うと期限切れが生じることを表示もしくは警告する期限切れ警告手段６２を備えたことを特徴とする自動販売機。
【請求項２】
販売商品に対して設定した賞味期限の管理を行える自動販売機であって、商品を収納するコラムと、前記コラムに収納の商品を販売する販売制御手段５１と、前記販売制御手段５１で商品が販売される毎にその商品の販売数をカウントする販売数カウント手段５２と、時刻を計時する時計５３と、所定日数における販売数から１日当たりの平均販売数を算出する平均販売数算出手段５４と、前記賞味期限日数を入力するための賞味期限入力手段５５と、前記平均販売数と賞味期限日数の積から賞味期限内で販売できる見込み数を算出する見込み販売数算出手段５６と、前記コラムに収容できる規定満杯数を入力するための規定満杯数入力手段５７と、見込み販売数が規定満杯数を下回る時は、上記コラムへの収納数として見込み販売数を設定し、それ以外では収納数として規定満杯数を設定する収納数決定手段５８とを備え、上記コラムに前回設定された収納数から販売数を減じて在庫数を検出する在庫数算出手段５９と、今回設定された収納数から在庫数を減じて補充数を算出すると補充数算出手段６０と、算出された補充数を表示する表示手段６１と、上記収納数決定手段５８により、見込み販売数が規定満杯数を下回ると判定された時、規定満杯数に従って商品補充を行うと期限切れが生じることを表示もしくは警告する期限切れ警告手段６２を備えたことを特徴とする自動販売機。
【発明の詳細な説明】
【０００１】
【発明の属する技術分野】
本発明は、販売商品の賞味期限管理を行える自動販売機に関する。
【０００２】
【従来の技術】
自動販売機で販売する商品には賞味期限が記されているが、この期限は常温もしくは冷温下で保存した場合のものであり、乳製品が含まれる商品をホット商品として加温する場合は、乳成分が変質し易いため、前記賞味期限とは別の期限を自主的に設定している。以下に述べる賞味期限とはこのことを指すものとする。このような賞味期限付きの商品を販売する場合に以下のような制御が知られている。
【０００３】
▲１▼コラムに商品を投入した際、その補充個数および賞味期限をキーボードから入力する。これにより、自動販売機では、投入個数およびその日時を記憶し、商品の滞留日数が賞味期限を超えた時、賞味期限切れと判定し、売り切れ表示を出し、販売しないようにしている。
▲２▼上記の制御において、各コラムへの商品の投入個数をより簡易的に計数するため、予め各コラムへの満杯数を入力しておき、商品補充時には必ず満杯になるまで補充することを前提とし、そしてその満杯補充時に“満杯プリセット釦"をオンにすることで、“前回満杯プリセットからの売上数"を投入個数として計数するものがある。
【０００４】
▲３▼又、前記満杯プリセット方式▲２▼において、日々の売れ行きがそのままペースで進んだときに、賞味期限切れが発生しそうなコラムを検出し、商品補充時にはそのコラムには商品を補充しないという前提のもとに、満杯プリセット釦を押すことにより、そのコラムは補充無しとし、他のコラムについては前記計算式による個数の補充があったと判定する制御もある。
【０００５】
【発明が解決しようとする課題】
しかしながら、▲１▼、▲２▼の制御では、賞味期限切れとなった商品は販売しないという制御であり、賞味期限切れを未然に防止することはできない。又、▲３▼の制御ではある程度の賞味期限切れを防止できる機能は期待できるが、最初の満杯補充時から極端に売れ行きの悪いコラムに対しては賞味期限切れを防止すことはできない。又、賞味期限切れが予測されたコラムには商品を全く補充しないため、商品の売れ行きが急変した場合にはすぐに売り切れとなってしまい販売チャンスを逃したり、一度に大量の商品補充が必要になり、商品補充の効率が悪くなり、又、一度に大量の商品を投入するため余計に賞味期限切れが発生し易くなる。
【０００６】
本発明は、上述した課題を解決するためになされたものであり、適正な商品補充を行うことにより、賞味期限切れをなくすと共に売り切れをも極力なくすようにした自動販売機を提供することを目的とする。
【０００７】
【課題を解決するための手段】
上記課題を解決するために、図１に示すように。
第１（請求項１）の発明は、販売商品に対して設定した賞味期限の管理を行える自動販売機であって、商品を収納するコラムと、前記コラムに収納の商品を販売する販売制御手段５１と、前記販売制御手段５１で商品が販売される毎にその商品の販売数をカウントする販売数カウント手段５２と、時刻を計時する時計５３と、所定日数における販売数から１日当たりの平均販売数を算出する平均販売数算出手段５４と、前記賞味期限日数を入力するための賞味期限入力手段５５と、前記平均販売数と賞味期限日数の積から賞味期限内で販売できる見込み数を算出する見込み販売数算出手段５６と、前記コラムに収容できる規定満杯数を入力するための規定満杯数入力手段５７と、見込み販売数が規定満杯数を下回る時は、上記コラムへの収納数として見込み販売数を設定し、それ以外では収納数として規定満杯数を設定する収納数決定手段５８と、上記収納数決定手段５８により、見込み販売数が規定満杯数を下回ると判定された時、規定満杯数に従って商品補充を行うと期限切れが生じることを表示もしくは警告する期限切れ警告手段６２を備えたことを特徴とする。
【０００８】
第２（請求項２）の発明は、販売商品に対して設定した賞味期限の管理を行える自動販売機であって、商品を収納するコラムと、前記コラムに収納の商品を販売する販売制御手段５１と、前記販売制御手段５１で商品が販売される毎にその商品の販売数をカウントする販売数カウント手段５２と、時刻を計時する時計５３と、所定日数における販売数から１日当たりの平均販売数を算出する平均販売数算出手段５４と、前記賞味期限日数を入力するための賞味期限入力手段５５と、前記平均販売数と賞味期限日数の積から賞味期限内で販売できる見込み数を算出する見込み販売数算出手段５６と、前記コラムに収容できる規定満杯数を入力するための規定満杯数入力手段５７と、見込み販売数が規定満杯数を下回る時は、上記コラムへの収納数として見込み販売数を設定し、それ以外では収納数として規定満杯数を設定する収納数決定手段５８とを備え、上記コラムに前回設定された収納数から販売数を減じて在庫数を検出する在庫数算出手段５９と、今回設定された収納数から在庫数を減じて補充数を算出すると補充数算出手段６０と、算出された補充数を表示する表示手段６１と、上記収納数決定手段５８により、見込み販売数が規定満杯数を下回ると判定された時、規定満杯数に従って商品補充を行うと期限切れが生じることを表示もしくは警告する期限切れ警告手段６２を備えたことを特徴とする。
【０００９】
【作用】
上記構成により、
第１の発明では、過去の所定日数における販売数から１日当たりの平均販売数が算出され、その平均販売数と、今回補充しようとする商品の賞味期限の日数との積により、その賞味期限内で販売できそうな見込み販売数が算出されるので、それに基づき商品を補充すれば、賞味期限切れをなくすことができる。
【００１１】
また、コラムには、そのコラムの大きさ、および収納する商品の大きさから固定的に決まる規定満杯数があり、上記見込み販売数がこの規定満杯数を下回るとき、商品をコラムに規定満杯数まで収納すれば期限切れが生じるため、当該コラムへの収納数として、見込み販売数が設定され、見込み販売数が規定満杯数を上回るとき、商品をコラムに規定満杯数まで収納しても賞味期限内に完売できるため、当該コラムへの収納数として本来の規定満杯数が設定される。このように過去の販売状況に照らし合わてコラムへの収納数を随意に設定するため、賞味期限切れをなくすことができる。
【００１２】
さらに、見込み販売数が規定満杯数を下回るコラムがある場合、そのコラムを期限切れ警告手段６２にて表示もしくは警告するようにすれば、そのコラムに対してのみ、上記の補充数に従って補充し、他のコラムに対しては補充個数を意識することなく、満杯になるまで補充すればよく、従って作業性が向上する。
第２の発明では、上述の収納数は商品補充時毎に求められるが、前回設定された収納数から販売された販売数を減じることで在庫数を求め、そして、今回新たに設定された収納数からその在庫数を減じてコラムへの適正補充数を求めているため、その適正補充数に基づき商品の補充を容易に行うことができ、また、見込み販売数が規定満杯数を下回るコラムがある場合、そのコラムを期限切れ警告手段６２にて表示もしくは警告するようにすれば、そのコラムに対してのみ、上記の補充数に従って補充し、他のコラムに対しては補充個数を意識することなく、満杯になるまで補充すればよく、従って作業性が向上する
【００１３】
【発明の実施の形態】
図２は、本発明の１実施形態を示した制御ブロック図である。１は、本装置を総括制御するＣＰＵであり、２は商品が収納される商品収納庫であり、販売商品毎に五つコラムＣ1〜Ｃ5を持つ。３は、各コラム内で商品の売り切れを検出するための売切検知スイッチである。４は前記コラム内の商品を選択するための商品選択釦であり、各釦には、販売可能を示す販売可能ランプ４ａと売り切れを表示する売切ランプ４ｂを備える。５は、各種販売データを入力するためのキーボードであり、６はキーボード５のインタフェイスである。
【００１４】
７は、ＣＰＵ１が行う制御動作を記述したプログラムを格納するＲＯＭであり、８は、商品の投入個数等、データを一時記憶するＲＡＭである。９は時間を計時する時計ＩＣである。
１０は、商品補充時に押動される確認起動釦であり、１１は、コラムに商品を、設定された収納数だけ補充した時に押動される満杯プリセット釦である。１２は、不図示の貨幣識別装置に投入された金額を表示すると共に、後述する「適正補充数」が表示される。
【００１５】
以下、本装置の制御をフローチャートに基づき説明する。
最初に平均販売数の演算および在庫管理を図３を参照して述べる。販売がある毎にステップＳ１、ステップＳ２からステップＳ３に進み、コラム別に販売数Ｎ1，Ｎ2，…Ｎ5がカウントされる。ステップＳ４では販売のあったコラムに対して前回設定されていた「収納数」から、(前回満杯プリセット時よりの販売数)を減じた値が在庫数とされる。この収納数および満杯プリセットについては後で述べる。ステップＳ５では売切検知スイッチ３により、当該コラムに売り切れが検知されたならば、現時点では前記在庫数は０になっている筈であるが、後述する商品補充時に個数を誤って補充したような場合には０でないことがある。そこでステップＳ６では在庫数を０にセットしている。
【００１６】
一方、日付が更新すると、ステップＳ１からステップＳ７に進み、更新した日数がカウントされ、ステップＳ８ではカウントした日数が所定日数Ｄ(例えば１週間)になれば、ステップＳ９にて、コラム別に平均販売数Ａx（Ｎ1/Ｄ、Ｎ2/Ｄ……Ｎ5/Ｄ）が演算され、そしてステップＳ１０では日数および販売数がクリアされ、ステップＳ１に戻る。
【００１７】
上記のフローでは、１週間が経過する毎に平均販売数を算出したが、日が更新される毎に直前の過去１週間における平均販売数Ａxを求めるのが図４のフローである。
販売がある毎にステップＳ１１、ステップＳ１２からステップＳ１３に進み、コラム別に販売数が日単位でカウントされる。ステップＳ１４〜Ｓ１６は図３のステップＳ４〜Ｓ６と同じである。
【００１８】
一方、日付が更新すると、ステップＳ１１からステップＳ１７に進み、更新した日数がカウントされ、ステップＳ１８ではカウントした日数が所定日数Ｄ(例えば１週間)になれば、ステップＳ１９にて、コラム別に過去Ｄ日間の販売数が演算され、そしてステップＳ２０にて平均販売数Ａｘが演算される。
上述した平均販売数を求める制御とは別に、ルートマンが巡回に来たときに実行される制御を次に述べる。
【００１９】
図５は、収納数決定のフローであり、ステップＳ２１にて上述した賞味期限の日数(例えば２週間)が入力される。この日数は、当自動販売機を管理する業者が自主的に設定したものであり、季節や商品に関係なく、固定値であるため、一度設定すれば再度の設定は不要である。さて、確認起動釦１０がオンされればステップＳ２２からステップＳ２３に進み、各コラムに対して算出された前記平均販売数Ａxが読み込まれ、次にステップＳ２４では、各コラムに対して予め設定されていた規定満杯数が読み込まれる。
【００２０】
ステップＳ２５では、Ａx×(賞味期限日数)により、賞味期限内に販売できる見込み販売数が演算される。ステップＳ２６では、各コラムに対して、見込み販売数が規定満杯数を下回るかが判定され、見込み販売数≧規定満杯数の場合は、そのコラムに規定満杯数だけ商品を補充しても賞味期限内に完売されるため、ステップＳ２７にて、そのコラムへの収納数として規定満杯数が設定される。
【００２１】
一方、見込み販売数＜規定満杯数の場合は、期限切れが生じないようにステップＳ２８にて、そのコラムに対し、規定満杯数より低減した見込み販売数が設定され、そして、ステップＳ２９にて、そのコラムに対応する販売可能ランプ４ａが期限切れ警告手段として点滅される。
このように確認起動釦１０をオンすることにより、規定満杯数まで補充すれば期限切れが予測されるコラムが表示されるので、ルートマンはその表示を見て商品の補充を行う。即ち、図６において、販売可能ランプ４ａが点滅しているコラムの一つを指定すると、ステップＳ３１、ステップＳ３２からステップＳ３３に進み、そのコラムにおける商品の在庫数が読み出される。ステップＳ３５では、(今回設定の収納数−在庫数)から商品の適正補充数が演算され、表示器１２に表示されるので、ルートマンはその個数だけ当該コラムに商品を補充する。
【００２２】
このように販売可能ランプ４ａが点滅しているコラムに対しては、表示された適正補充数だけ商品を補充し、それ以外のコラムに対しては、規定満杯数、つまり、個数を意識することなく、満杯になるまで商品を補充すればよい。全コラムに商品を補充すれば、満杯プリセット釦１１をオンにすることにより、ステップＳ３１からステップＳ３５に進み、各コラムに設定された収納数だけ商品補充したことがＣＰＵ１に認識され、ステップＳ３６では、点滅していた販売可能ランプ４ａはクリアされる。
【００２３】
【表１】
0003659184.tif 000002
表１は、全コラムを規定満杯数２０の場合を示したものであり、コラムＣ1では、見込み販売数(24)＞規定満杯数(20))であるため、収納数は２０(規定満杯数)に設定され、前回の満杯プリセット時よりの販売数が１２個であるため、在庫数は、前回設定の収納数(20)−販売数(12)＝８であり、適正補充数は、今回設定された収納数(20)−在庫数(8)＝１２となる。
【００２４】
コラムＣ4では、見込み販売数(12)＜規定満杯数(20)であるため、収納数は１２(見込み販売数)に設定され、前回の満杯プリセット時よりの販売数が１１個であるため、在庫数は、前回設定の収納数(20)−販売数(11)＝９であり、適正補充数は、今回設定の収納数(12)−在庫数(9)＝３となる。
【００２５】
【表２】
0003659184.tif 000003
表２は次回の商品補充時を示しており、例えばコラムＣ4では、見込み販売数(18)＜規定満杯収納数(20)であるため、収納数は１８に設定され、前回の満杯プリセット時よりの販売数が１１個であるため、在庫数は、前回の設定収納数(12)−販売数(11)＝１であり、適正補充数は、今回の設定収納数(18)−在庫数(1)＝１７となる。
【００２６】
上記の説明では賞味期限として当該自動販売機を管理する業者が設定したものであったが、商品のパッケージに印刷されている賞味期限の管理する場合にも本発明を適用できる。
【００２７】
【発明の効果】
以上説明したように、第１の発明では、過去の販売状況から賞味期限内に販売できる見込み販売数を求め、それに基づき商品を補充するため賞味期限切れをなくすことができ、上記見込み販売数が、規定満杯数(コラムに最大収納できる数)を下回るとき、当該コラムへの収納数として見込み販売数が設定され、その見込み販売数に従って商品補充を行えば賞味期限切れをなくすことができ、しかも、見込み販売数が規定満杯数を下回るコラムがある場合、警告するようにすれば、そのコラムに対してのみ、上記の補充数に従って補充し、他のコラムに対しては補充個数を意識することなく、満杯になるまで補充すればよく、従って作業性が向上する。
【００２８】
第２の発明では、前回設定された収納数から販売された販売数を減じることで在庫数を求め、そして、今回新たに設定された収納数からその在庫数を減じてコラムへの過不足のない適正補充数を求めているため、その適正補充数に従って商品の補充を容易に行うことができる。
【図面の簡単な説明】
【図１】  本発明の自動販売機のクレーム対応図
【図２】  本発明の一形態を示す制御ブロック図
【図３】  図２の装置の制御動作を示すフローチャート
【図４】  図２の装置の制御動作を示すフローチャート
【図５】  図２の装置の制御動作を示すフローチャート
【図６】  図２の装置の制御動作を示すフローチャート
【符号の説明】
１  ＣＰＵ
２  商品収納庫
３  売切検知スイッチ
４  商品選択釦
４ａ  販売可能ランプ
４ｂ  売切ランプ
５  キーボード
６  インタフェイス
７  ＲＯＭ
８  ＲＡＭ
９  時計ＩＣ
１０  確認起動釦
１１  満杯プリセット釦
１２  表示器
Ｃ  コラム
【図１】
0003659184.tif 000004
【図２】
0003659184.tif 000005
【図３】
0003659184.tif 000006
【図４】
0003659184.tif 000007
【図５】
0003659184.tif 000008
【図６】
0003659184.tif 000009